(57)【要約】【課題】終了後の電力消費を容易に低減することである。【解決手段】超音波診断装置１Ａは、超音波診断装置１Ａの各部への電力供給を行う電源部１４と、超音波診断装置１Ａの終了又は起動の操作を受け付ける電源ボタン１５と、電源ボタン１５の入力受付を待機し、電源部１４への電力供給及び制御を行う電源制御部１３Ａと、超音波診断装置１Ａに内蔵され、電源制御部１３Ａに電力を供給するバッテリー１７と、オン又はオフの操作を受け付け、当該操作に応じてバッテリー１７と電源制御部１３Ａとの間の線路を電気的に接続又は遮断するスイッチ１８と、を備える。【選択図】図１
2018187127.tif 000002
【特許請求の範囲】
【請求項１】
被検体の医用画像の処理を行う医用画像診断装置であって、
前記医用画像診断装置の各部への電力供給を行う電源部と、
前記医用画像診断装置の終了又は起動の操作を受け付ける電源ボタンと、
前記電源ボタンの入力受付を待機し、前記電源部への電力供給及び制御を行う電源制御部と、
前記医用画像診断装置に内蔵され、前記電源制御部に電力を供給する電池部と、
オン又はオフの操作を受け付け、当該操作に応じて前記電池部と前記電源制御部との間の線路を電気的に接続又は遮断するスイッチと、を備える医用画像診断装置。
【請求項２】
前記医用画像診断装置の外部から入力された電源電力を前記電源制御部に供給する外部電源入力部を備え、
前記電源制御部は、前記外部電源入力部から入力された電源電力を、前記スイッチを介して前記電池部に供給する請求項１に記載の医用画像診断装置。
【請求項３】
前記電池部と前記電源制御部との間に前記スイッチと並列に設けられ、前記電源制御部からのオン又はオフの制御に応じて、前記電池部と前記電源制御部との間の線路を接続又は遮断するリレーを備え、
前記電源制御部は、前記スイッチがオフでかつ前記外部電源入力部から電源電力が入力された場合に、前記リレーをオンし、前記入力された電源電力を、当該リレーを介して前記電池部に供給する請求項２に記載の医用画像診断装置。
【請求項４】
前記電源制御部は、前記医用画像診断装置が稼働している場合に、前記リレーをオンする請求項３に記載の医用画像診断装置。
【請求項５】
前記電源制御部は、スタンバイで前記医用画像診断装置が終了された場合に、前記リレーをオフする請求項３又は４に記載の医用画像診断装置。
【請求項６】
前記医用画像診断装置をシャットダウン又はスタンバイで終了する操作入力を受け付ける操作部と、
前記操作部又は前記電源ボタンにより入力された操作に応じて、シャットダウン又はスタンバイで前記医用画像診断装置の終了処理を行うシステム制御部と、を備える請求項１から５のいずれか一項に記載の医用画像診断装置。
【請求項７】
前記医用画像診断装置の終了の操作入力を受け付ける操作部と、
前記操作部又は前記電源ボタンにより入力された操作に応じて、前記医用画像診断装置の終了処理を行うシステム制御部と、
前記スイッチがオンの状態の場合に、当該オンの状態を前記システム制御部に通知する通知部と、を備え、
前記システム制御部は、前記スイッチのオンの状態の通知がある場合の前記操作部又は前記電源ボタンにより入力された終了の操作に応じて、スタンバイで前記医用画像診断装置の終了処理を行う請求項１から５のいずれか一項に記載の医用画像診断装置。
【請求項８】
前記通知部は、前記スイッチがオフの状態の場合に、当該オフの状態を前記システム制御部に通知し、
前記システム制御部は、前記スイッチのオフの状態の通知がある場合の前記操作部又は前記電源ボタンにより入力された終了の操作に応じて、シャットダウンで前記医用画像診断装置の終了処理を行う請求項７に記載の医用画像診断装置。
【請求項９】
データを記憶する揮発性の記憶部を備え、
前記スタンバイは、前記電源制御部、前記電源部及び前記記憶部に電力が供給され、当該記憶部に記憶されたデータが保持された状態である請求項５から８のいずれか一項に記載の医用画像診断装置。
【請求項１０】
前記シャットダウンは、前記電源制御部に電力が供給される状態である請求項６又は８に記載の医用画像診断装置。
【発明の詳細な説明】
【技術分野】
【０００１】
本発明は、医用画像診断装置に関する。
【背景技術】
【０００２】
従来、医用画像診断装置として、バッテリーと、ＡＣ（Alternating Current）−ＤＣ（Direct Current）コンバーターと、を備える医用画像診断装置超音波診断装置が知られている（特許文献１参照）。超音波診断装置の各部に電源を供給する電源部に対しては、ＡＣ−ＤＣコンバーターが商用電源など外部から供給された電源電力を変換して供給する。さらにＡＣ−ＤＣコンバーターは、バッテリーにも充電を行う。外部電源の供給が受けられない状況下では、バッテリーが電源部に対して電源を供給する。通常の診療環境では、超音波診断装置は商用電源で稼働することが多いが、屋外など診療場所によっては商用電源が使えないこともあるため、その場合はバッテリーにより稼働させることができる。バッテリーでの稼働後は、商用電源に接続することで充電する。
【０００３】
また、近年の超音波診断装置では、終了中であっても、次回起動のために制御回路の一部に電源電力を供給するものが知られている。ここで、図１４を参照して、バッテリーを備える従来の超音波診断装置１Ｄを簡単に説明する。図１４は、スタンバイの状態の従来の超音波診断装置１Ｄの機能構成を示すブロック図である。
【０００４】
図１４において、二重矢印が電源ラインを示し、破線矢印がスタンバイ電源ラインを示し、一重矢印が信号ライン又は制御ラインを示す。また、図１４において、太線が給電しているライン又は稼働している部品を示し、細線が給電していないライン又は稼働していない部品を示す。これらの表記は、他の図においても同様であるものとする。
【０００５】
図１４に示すように、超音波診断装置１Ｄは、筐体２Ｄと、超音波探触子４０と、表示部５０と、操作部６０と、ＡＣアダプター７０と、を備える。筐体２Ｄは、システム制御部１１と、電源制御部１３Ａと、電源部１４と、電源ボタン１５と、ＤＣ入力コネクター１６と、バッテリー１７と、超音波信号処理部３０と、を備える。システム制御部１１は、揮発性のメモリー１２を有する。超音波探触子４０は、ケーブル４１を介して超音波信号処理部３０に接続されている。超音波信号処理部３０は、送受信部３１と、ビームフォーミング部３２と、信号処理部３３と、表示処理部３４と、を備える。
【０００６】
超音波診断装置１Ｄの起動時に、電源制御部１３Ａは、バッテリー１７又は商用電源に接続されたＡＣアダプター７０を介する商用電源により供給された電源電力を電源部１４に供給する。電源部１４は、システム制御部１１、電源ボタン１５、超音波信号処理部３０、超音波探触子４０、表示部５０、操作部６０に電源電力を供給する。システム制御部１１は、超音波信号処理部３０を制御し、超音波探触子４０による被検体への超音波送受信による超音波画像データを生成して表示部５０に表示させる。
【０００７】
超音波診断装置１Ｄの終了は、スタンバイと、シャットダウンと、の２種類がある。図１４には、ＡＣアダプター７０が接続されていない（商用電源の電力供給がない）スタンバイの状態の超音波診断装置１Ｄを示す。ＡＣアダプター７０が接続されていないスタンバイの状態においては、メモリー１２に記憶されたデータを起動後に使用可能にするために、バッテリー１７から出力された電源電力が、待機電力として、電源制御部１３Ａ、電源部１４、メモリー１２及び電源ボタン１５に供給されている。電源制御部１３Ａは、超音波診断装置１Ｄの起動のための電源ボタン１５の押下操作を待機している。
【０００８】
ＡＣアダプター７０が接続されていないシャットダウンの状態においては、メモリー１２に記憶されたデータを起動後に使用しないので、バッテリー１７から出力された電源電力が、待機電力として、電源制御部１３Ａ及び電源ボタン１５に供給されている。
【先行技術文献】
【特許文献】
【０００９】
【特許文献１】特開平５−２６１０９６号公報
【発明の概要】
【発明が解決しようとする課題】
【００１０】
超音波診断装置１Ｄは、平時の環境では特に難なく商用電源にアクセス可能であるが、災害時や未開発の地域などで診療を行う場合、商用電源でバッテリー１７に充電したのち移動し、診療で稼働させるまでに数時間〜数日を要することがある。スタンバイ中だけでなく、シャットダウン中でも充電できない状況下では、バッテリー１７の電力は、待機電力として徐々に消費されるため、診療に供される時間が短縮されてしまう。安易な解決策としては、充電後のバッテリー１７を超音波診断装置１Ｄから外すことで待機電力による放電を防ぐことができる。しかし、バッテリー１７を別に携行する必要があるため、移動の際には煩わしい。
【００１１】
本発明の課題は、終了後の電力消費を容易に低減することである。
【課題を解決するための手段】
【００１２】
上記課題を解決するため、請求項１に記載の発明の医用画像診断装置は、
被検体の医用画像の処理を行う医用画像診断装置であって、
前記医用画像診断装置の各部への電力供給を行う電源部と、
前記医用画像診断装置の終了又は起動の操作を受け付ける電源ボタンと、
前記電源ボタンの入力受付を待機し、前記電源部への電力供給及び制御を行う電源制御部と、
前記医用画像診断装置に内蔵され、前記電源制御部に電力を供給する電池部と、
オン又はオフの操作を受け付け、当該操作に応じて前記電池部と前記電源制御部との間の線路を電気的に接続又は遮断するスイッチと、を備える。
【００１３】
また、請求項２に記載の発明は、請求項１に記載の医用画像診断装置において、
前記医用画像診断装置の外部から入力された電源電力を前記電源制御部に供給する外部電源入力部を備え、
前記電源制御部は、前記外部電源入力部から入力された電源電力を、前記スイッチを介して前記電池部に供給する。
【００１４】
また、請求項３に記載の発明は、請求項２に記載の医用画像診断装置において、
前記電池部と前記電源制御部との間に前記スイッチと並列に設けられ、前記電源制御部からのオン又はオフの制御に応じて、前記電池部と前記電源制御部との間の線路を接続又は遮断するリレーを備え、
前記電源制御部は、前記スイッチがオフでかつ前記外部電源入力部から電源電力が入力された場合に、前記リレーをオンし、前記入力された電源電力を、当該リレーを介して前記電池部に供給する。
【００１５】
また、請求項４に記載の発明は、請求項３に記載の医用画像診断装置において、
前記電源制御部は、前記医用画像診断装置が稼働している場合に、前記リレーをオンする。
【００１６】
また、請求項５に記載の発明は、請求項３又は４に記載の医用画像診断装置において、
前記電源制御部は、スタンバイで前記医用画像診断装置が終了された場合に、前記リレーをオフする。
【００１７】
また、請求項６に記載の発明は、請求項１から５のいずれか一項に記載の医用画像診断装置において、
前記医用画像診断装置をシャットダウン又はスタンバイで終了する操作入力を受け付ける操作部と、
前記操作部又は前記電源ボタンにより入力された操作に応じて、シャットダウン又はスタンバイで前記医用画像診断装置の終了処理を行うシステム制御部と、を備える。
【００１８】
また、請求項７に記載の発明は、請求項１から５のいずれか一項に記載の医用画像診断装置において、
前記医用画像診断装置の終了の操作入力を受け付ける操作部と、
前記操作部又は前記電源ボタンにより入力された操作に応じて、前記医用画像診断装置の終了処理を行うシステム制御部と、
前記スイッチがオンの状態の場合に、当該オンの状態を前記システム制御部に通知する通知部と、を備え、
前記システム制御部は、前記スイッチのオンの状態の通知がある場合の前記操作部又は前記電源ボタンにより入力された終了の操作に応じて、スタンバイで前記医用画像診断装置の終了処理を行う。
【００１９】
また、請求項８に記載の発明は、請求項７に記載の医用画像診断装置において、
前記通知部は、前記スイッチがオフの状態の場合に、当該オフの状態を前記システム制御部に通知し、
前記システム制御部は、前記スイッチのオフの状態の通知がある場合の前記操作部又は前記電源ボタンにより入力された終了の操作に応じて、シャットダウンで前記医用画像診断装置の終了処理を行う。
【００２０】
また、請求項９に記載の発明は、請求項５から８のいずれか一項に記載の医用画像診断装置において、
データを記憶する揮発性の記憶部を備え、
前記スタンバイは、前記電源制御部、前記電源部及び前記記憶部に電力が供給され、当該記憶部に記憶されたデータが保持された状態である。
【００２１】
また、請求項１０に記載の発明は、請求項６又は８に記載の医用画像診断装置において、
前記シャットダウンは、前記電源制御部に電力が供給される状態である。
【発明の効果】
【００２２】
本発明によれば、終了後の電力消費を容易に低減できる。
【図面の簡単な説明】
【００２３】
【図１】本発明の第１の実施の形態の通常シャットダウンの状態の第１の超音波診断装置の機能構成を示すブロック図である。
【図２】第１のスイッチの概略構成を示す図である。
【図３】完全シャットダウンの状態の第１の超音波診断装置の機能構成を示すブロック図である。
【図４】通常シャットダウンで充電の状態の第１の超音波診断装置の機能構成を示すブロック図である。
【図５】通常シャットダウンの状態の第２の超音波診断装置の機能構成を示すブロック図である。
【図６】リレーの概略構成を示す図である。
【図７】完全シャットダウンの状態の第２の超音波診断装置の機能構成を示すブロック図である。
【図８】通常シャットダウンで充電の状態の第２の超音波診断装置の機能構成を示すブロック図である。
【図９】スタンバイの状態の第２の超音波診断装置の機能構成を示すブロック図である。
【図１０】稼働の状態の第２の超音波診断装置の機能構成を示すブロック図である。
【図１１】稼働で充電の状態の第２の超音波診断装置の機能構成を示すブロック図である。
【図１２】スタンバイの状態の第３の超音波診断装置の機能構成を示すブロック図である。
【図１３】第２のスイッチの概略構成を示す図である。
【図１４】スタンバイの状態の従来の超音波診断装置の機能構成を示すブロック図である。
【発明を実施するための形態】
【００２４】
添付図面を参照して、本発明に係る第１〜第３の実施の形態を順に詳細に説明する。なお、本発明は、図示例に限定されるものではない。
【００２５】
（第１の実施の形態）
図１〜図４を参照して、本発明に係る第１の実施の形態を説明する。先ず、図１及び図２を参照して、本実施の形態の装置構成を説明する。図１は、本実施の形態の通常シャットダウンの状態の超音波診断装置１Ａの機能構成を示すブロック図である。図２は、スイッチ１８の概略構成を示す図である。
【００２６】
本実施の形態の医用画像診断装置としての超音波診断装置１Ａは、病院などの商用電源のある医療機関や、商用電源のない屋外などで使用され、ユーザー（検査者（医者、技師など））が携行可能な診断装置である。図１に示すように、超音波診断装置１Ａは、筐体２と、超音波探触子４０と、表示部５０と、操作部６０と、ＡＣアダプター７０と、を備える。
【００２７】
超音波探触子４０は、図示しない患者の生体などの被検体に対して超音波（送信超音波）を送信するとともに、この被検体で反射した反射超音波、散乱超音波を含む受信超音波を受信する。筐体２は、ケーブル４１を介して、超音波探触子４０と接続され、超音波探触子４０に電気信号の駆動信号を送信することによって超音波探触子４０に被検体に対して送信超音波を送信させる。また、筐体２は、超音波探触子４０にて受信した被検体内からの受信超音波に応じて超音波探触子４０で生成された電気信号である受信信号に基づいて被検体内の内部状態を超音波画像として画像化する。
【００２８】
超音波探触子４０の振動子（図示略）は、例えば、方位方向に一次元アレイ状に複数配列されている。本実施の形態では、例えば、１９２個の振動子を備えた超音波探触子４０を用いている。なお、振動子は、二次元アレイ状に配列されたものであってもよい。また、振動子の個数は、任意に設定することができる。また、超音波探触子４０は、電子走査方式あるいは機械走査方式の何れを採用してもよく、また、リニア走査方式、セクター走査方式又はコンベックス走査方式の何れの方式を採用することもできる。
【００２９】
図１に示すように、筐体２は、システム制御部１１と、電源制御部１３Ａと、電源部１４と、電源ボタン１５と、外部電源入力部としてのＤＣ入力コネクター１６と、電池部としてのバッテリー１７と、超音波信号処理部３０と、を備える。システム制御部１１は、揮発性のメモリー１２を有する。超音波信号処理部３０は、送受信部３１と、ビームフォーミング部３２と、信号処理部３３と、表示処理部３４と、を備える。
【００３０】
操作部６０は、例えば、被検体の検査開始の指示などの各種コマンドや、測定条件、被検体情報などのデータの入力などを行うための各種スイッチ、ボタン、トラックボール、マウス、キーボードなどを備えており、操作入力に応じた操作情報をシステム制御部１１に出力する。特に操作部６０は、超音波診断装置１Ａを終了する際に、ユーザーからの終了の実行及び終了方法の選択情報（シャットダウン又はスタンバイ）の入力を受け付ける。
【００３１】
送受信部３１は、システム制御部１１からの駆動電圧（駆動電圧値）にしたがって、当該駆動電圧に対応する電気信号としての駆動信号を生成して超音波探触子４０にケーブル４１を介して供給し、送信超音波を発生させる送信部として機能する。送受信部３１は、送信部として例えば、クロック発生回路、遅延回路、パルス発生回路を備えている。クロック発生回路は、駆動信号の送信タイミングや送信周波数を決定するクロック信号を発生させる回路である。遅延回路は、駆動信号の送信タイミングを振動子毎に対応した個別経路毎に遅延時間を設定し、設定された遅延時間だけ駆動信号の送信を遅延させて送信超音波によって構成される送信ビームの集束を行うための回路である。パルス発生回路は、所定の周波数で駆動信号としてのパルス信号を発生させるための回路である。上述のように構成された送受信部３１は、例えば、超音波探触子４０に配列された複数（例えば、１９２個）の振動子のうちの連続する一部（例えば、６４個）を駆動して送信超音波を発生させる。そして、送受信部３１は、送信超音波を発生させる毎に駆動する振動子を方位方向にずらすことで走査（スキャン）を行う。これにより、超音波探触子４０は、送受信部３１からの駆動信号に応じて、超音波送受信の動作を行う。
【００３２】
また、送受信部３１は、システム制御部１１の制御に従って、超音波探触子４０からケーブル４１を介して電気信号である受信信号を受信する受信部として機能する。送受信部３１は、超音波探触子４０の各振動子の受信信号を出力する。
【００３３】
ビームフォーミング部３２は、システム制御部１１の制御に従って、送受信部３１から入力された各振動子の受信信号を強め合い音線データを生成する。ビームフォーミング部３２は、例えば、増幅器、Ａ／Ｄ（Analog to Digital）変換回路、整相加算回路を備える。増幅器は、受信信号を、振動子毎に対応した個別経路毎に、予め設定された増幅率で増幅させるための回路である。Ａ／Ｄ変換回路は、増幅された受信信号をＡ／Ｄ変換するための回路である。整相加算回路は、Ａ／Ｄ変換された受信信号に対して、振動子毎に対応した個別経路毎に遅延時間を与えて時相を整え、これらを加算（整相加算）して音線データを生成するための回路である。
【００３４】
信号処理部３３は、システム制御部１１の制御に従って、ビームフォーミング部３２から入力された音線データに対して包絡線検波処理や対数増幅などを実施し、ダイナミックレンジやゲインの調整を行って輝度変換することにより、Ｂ（Brightness）モード画像データを生成する。すなわち、Ｂモード画像データは、受信信号の強さを輝度によって表したものである。信号処理部３３は、診断モードがＢモードのＢモード画像データの他、Ａ（Amplitude）モード、Ｍ（Motion）モード、パルスドプラー法、カラードプラー法など、他の診断モードの超音波画像データが生成可能である。
【００３５】
また、信号処理部３３は、ＤＲＡＭ（Dynamic Random Access Memory）などの半導体メモリーによって構成された画像メモリー部（図示略）を備える。信号処理部３３は、システム制御部１１の制御に従って、生成したＢモード画像データをフレーム単位で画像メモリー部に記憶し、フレーム毎の画像データとして出力する。
【００３６】
表示処理部３４は、システム制御部１１の制御に従って、信号処理部３３から入力されたフレームの画像データに座標変換などを施して画像信号に変換し、表示部５０に出力する。
【００３７】
表示部５０は、ＬＣＤ（Liquid Crystal Display）、ＣＲＴ（Cathode-Ray Tube）ディスプレイ、有機ＥＬ（Electronic Luminescence）ディスプレイ、無機ＥＬティスプレイ及びプラズマディスプレイなどの表示装置が適用可能である。表示部５０は、超音波信号処理部３０を介したシステム制御部１１の制御に従って、表示処理部３４から入力された画像信号に従って表示画面上に超音波画像などの表示を行う。特に表示部５０は、超音波診断装置１Ａを終了する際に、ユーザーからの終了の実行及び終了方法の選択（シャットダウン又はスタンバイ）の入力を受け付ける表示画面情報を表示する。
【００３８】
システム制御部１１は、例えば、ＣＰＵ（Central Processing Unit）、ＲＯＭ（Read Only Memory）、メモリー１２を備え、ＲＯＭに記憶されているシステムプログラムなどの各種処理プログラムを読み出してメモリー１２に展開し、展開したプログラムに従って超音波診断装置１Ａの各部を制御する。ＲＯＭは、半導体などの不揮発メモリーなどにより構成され、超音波診断装置１Ａに対応するシステムプログラム及び該システムプログラム上で実行可能な各種処理プログラムや、ガンマテーブルなどの各種データなどを記憶する。これらのプログラムは、コンピューターが読み取り可能なプログラムコードの形態で格納され、ＣＰＵは、当該プログラムコードに従った動作を逐次実行する。メモリー１２は、ＲＡＭ（Random Access Memory）などの揮発性の記憶部であり、ＣＰＵにより実行される各種プログラム及びこれらプログラムに係るデータを一時的に記憶するワークエリアを形成する。
【００３９】
電源制御部１３Ａは、バッテリー１７又はＡＣアダプター７０（商用電源）からの電源電力が供給され、電源部１４への電源電力の供給、電源ボタン１５の押下の待機、システム制御部１１への電源ボタン１５の押下の情報の通知、システム制御部１１に従った超音波診断装置１Ａの終了（スタンバイ、シャットダウン）、起動の処理などを行う。電源制御部１３Ａは、制御の複雑さに応じて様々な構成をとることができ、デジタル回路、マイコンなどの小規模なＣＰＵ、電源制御専用のＩＣ等で実現することができる。
【００４０】
電源部１４は、システム制御部１１、超音波信号処理部３０（超音波探触子４０、表示部５０、操作部６０）への電源電力供給を行う電源である。特に、電源部１４は、電源制御部１３Ａの指示に従って、スタンバイ時に、メモリー１２への電源電力（スタンバイ電源）の供給を行う。電源部１４は、レギュレーター（ＤＣ−ＤＣコンバーター、シリーズレギュレーター）によって構成することができる。レギュレーターは、ディスクリート部品で構成された回路でも良いし、ＩＣや回路モジュールで構成されても良い。
【００４１】
電源ボタン１５は、筐体２の表面に設けられ、ユーザーからの電源オン／オフ操作としての押下操作入力を受け付け、その操作信号を電源制御部１３Ａに出力する。電源ボタン１５が受け付ける操作内容は、超音波診断装置１Ａの終了（スタンバイ、シャットダウン）後における起動操作、超音波診断装置１Ａの起動中における終了（シャットダウン）操作である。
【００４２】
ここで、ＡＣアダプター７０は、商用電源に電気的に接続され、入力された商用電源の交流を直流に変換し、変換後の直流を電源電力として接続先のＤＣ入力コネクター１６に供給する。
【００４３】
ＤＣ入力コネクター１６は、筐体２の表面に設けられ、ＡＣアダプター７０が電気的に接続されるための入力コネクターである。ＤＣ入力コネクター１６は、電気的に接続されたＡＣアダプター７０から入力された直流の電源電力を電源制御部１３Ａに出力する。
【００４４】
バッテリー１７は、筐体２に内蔵されたリチウムイオン電池などの２次電池であり、ＡＣアダプター７０からの電源電力の充電及び電源制御部１３Ａへの電源電力の出力（放電）が可能である。バッテリー１７は、スイッチ１８に電気的に接続されている。
【００４５】
スイッチ１８は、筐体２の表面に設けられ、ユーザーのオン／オフ操作によりバッテリー１７と電源制御部１３Ａとの間の線路を電気的に接続又は遮断するスイッチである。スイッチ１８は、例えば図２に示す２端子のプッシュロックスイッチであるものとする。図２に示すスイッチ１８は、操作部１８１を備える。操作部１８１は、ユーザーにより押下されると、電源制御部１３Ａに電気的に接続された接点１８２と、バッテリー１７に電気的に接続された接点１８３と、の間が電気的に接続され、接続されたままロックされオン状態となる。オン状態の操作部１８１は、ユーザーにより再度押下されると、ロックが解除され、接点１８２と接点１８３との間が電気的に遮断されオフ状態となる。ただし、スイッチ１８は、プッシュロックスイッチに限定されるものではなく、シーソースイッチ、トグルスイッチなど、他の２接点間の電気的な接続及び遮断を行うスイッチとしてもよい。
【００４６】
超音波診断装置１Ａが備える各部について、各々の機能ブロックの一部又は全部の機能は、集積回路などのハードウェア回路として実現することができる。集積回路とは、例えばＬＳＩ（Large Scale Integration）であり、ＬＳＩは集積度の違いにより、ＩＣ（Integrated Circuit）、システムＬＳＩ、スーパーＬＳＩ、ウルトラＬＳＩと呼称されることもある。また、集積回路化の手法はＬＳＩに限るものではなく、専用回路又は汎用プロセッサで実現してもよいし、ＦＰＧＡ（Field Programmable Gate Array）やＬＳＩ内部の回路セルの接続や設定を再構成可能なリコンフィギュラブル・プロセッサーを利用してもよい。また、各々の機能ブロックの一部又は全部の機能をソフトウェアにより実行するようにしてもよい。この場合、このソフトウェアは一つ又はそれ以上のＲＯＭなどの記憶媒体、光ディスク、又はハードディスクなどに記憶されており、このソフトウェアが演算処理器により実行される。
【００４７】
次に、図１、図３、図４を参照して、超音波診断装置１Ａの電源に関する動作を説明する。図３は、完全シャットダウンの状態の超音波診断装置１Ａの機能構成を示すブロック図である。図４は、通常シャットダウンで充電の状態の超音波診断装置１Ａの機能構成を示すブロック図である。
【００４８】
予め、超音波診断装置１Ａは、稼働中であり、スイッチ１８がオンされている状態とする。また、バッテリー１７は、充電されているものとする。
【００４９】
稼働状態の超音波診断装置１Ａにおいて、システム制御部１１は、操作部６０を介してユーザーから超音波診断装置１Ａの終了指示の入力を受け付けると、超音波診断装置１Ａの終了方法の選択の表示画面情報を表示部５０に表示する。そして、システム制御部１１は、操作部６０を介してユーザーから、超音波診断装置１Ａの終了方法としてシャットダウン又はスタンバイの選択入力を受け付ける。
【００５０】
例えば超音波診断装置１Ａを長時間稼働停止するため、シャットダウンが選択入力された場合又は電源ボタン１５がオフ操作された場合に、システム制御部１１は、図１に示すように、電源制御部１３Ａに通常シャットダウンの状態で超音波診断装置１Ａを終了させる。通常シャットダウンの状態の超音波診断装置１Ａにおいて、バッテリー１７から出力された電源電力は、給電又は稼働を表す太線に示すように、オン状態のスイッチ１８を介して電源制御部１３Ａに供給される。電源制御部１３Ａは、太線に示すように、供給された電源電力により、電源ボタン１５からの起動操作を受け付け可能な待機の状態にする。このため、通常シャットダウンの状態の超音波診断装置１Ａの消費電力は、起動時よりも低減されるが、主に電源制御部１３Ａで電力消費されている。
【００５１】
通常シャットダウンの状態の超音波診断装置１Ａにおいて、ユーザーによりスイッチ１８がオフ操作された場合に、図３に示すように、超音波診断装置１Ａは、完全シャットダウンの状態に遷移される。
【００５２】
完全シャットダウンの状態の超音波診断装置１Ａにおいて、スイッチ１８が電気的に遮断されているため、太線がなく、バッテリー１７から電源制御部１３Ａへの電源電力の供給がされていない。このため、完全シャットダウンの状態の超音波診断装置１Ａの消費電力は、通常シャットダウンの状態の超音波診断装置１Ａの消費電力よりもさらに低減される。ただし、完全シャットダウンの状態では、たとえ電源ボタン１５が押下されても、超音波診断装置１Ａは起動されない。
【００５３】
また、通常シャットダウンの状態の超音波診断装置１Ａにおいて、商用電源に接続されたＡＣアダプター７０が、ＤＣ入力コネクター１６に電気的に接続されると、図４に示すように、超音波診断装置１Ａは、通常シャットダウンで充電の状態に遷移する。ＡＣアダプター７０から出力された電源電力は、ＤＣ入力コネクター１６、電源制御部１３Ａ、オン状態のスイッチ１８を順に介してバッテリー１７に供給されて充電される。ただし、通常シャットダウンの状態の超音波診断装置１Ａにおいて、スイッチ１８がオフ操作され、超音波診断装置１Ａが完全シャットダウンの状態に遷移されると、たとえ商用電源に接続されたＡＣアダプター７０がＤＣ入力コネクター１６に電気的に接続されても、バッテリー１７は充電されない。
【００５４】
また、上記のように超音波診断装置１Ａの稼働中に終了方法の選択の表示画面情報が表示部５０に表示され、例えば超音波診断装置１Ａを任意の短時間経過後に再度稼働するために一時的に停止するため、スタンバイが選択入力された場合に、システム制御部１１は、図１４に示す超音波診断装置１Ｄと同様に、電源制御部１３Ａをスタンバイの状態にさせる。電源制御部１３Ａは、バッテリー１７からオン状態のスイッチ１８を介して供給される電源電力により、電源ボタン１５の操作を受け付け可能な待機の状態にし、電源部１４を介してメモリー１２に電源電力を供給し、メモリー１２に記憶されているデータの記憶状態を保つ。スタンバイの状態の超音波診断装置１Ａにおいて、スイッチ１８をオフ操作すると、メモリー１２に記憶されているデータが消去されてしまうため、ユーザーはスイッチ１８をオフ操作しない。
【００５５】
以上、本実施の形態によれば、超音波診断装置１Ａは、超音波診断装置１Ａの各部への電力供給を行う電源部１４と、超音波診断装置１Ａの終了又は起動の操作を受け付ける電源ボタン１５と、電源ボタン１５の入力受付を制御し、電源部１４への電源電力供給及び制御を行う電源制御部１３Ａと、超音波診断装置１Ａに内蔵され、電源制御部１３Ａに電源電力を供給するバッテリー１７と、オン又はオフの操作を受け付け、当該操作に応じてバッテリー１７と電源制御部１３Ａとの間の線路を電気的に接続又は遮断するスイッチ１８と、を備える。
【００５６】
このため、通常シャットダウンの状態の超音波診断装置１Ａにおいて、バッテリー１７を超音波診断装置１Ａから取り外すことなく、長時間使用せず、また、外部電源による充電が行えない状況が想定される場合に、スイッチ１８をオフすることで、完全シャットダウンの状態にして、超音波診断装置１Ａの終了後の電力消費を容易に低減でき、移動などで長時間経過した後も、バッテリー１７に充電した電力量で本来可能な診断時間を活かしきることができる。また、バッテリー１７を超音波診断装置１Ａから外す必要がないため、超音波診断装置１Ａとバッテリー１７とを一体で携行でき、バッテリー１７の持ち出しを忘れることも防ぐことができる。
【００５７】
また、超音波診断装置１Ａは、超音波診断装置１Ａの外部のＡＣアダプター７０から入力された電源電力を電源制御部１３Ａに供給するＤＣ入力コネクター１６を備える。電源制御部１３Ａは、ＤＣ入力コネクター１６から入力された電源電力を、スイッチ１８を介してバッテリー１７に供給する。このため、完全シャットダウンの状態においても、スイッチ１８をオン状態（通常シャットダウンの状態）にすることで、バッテリー１７を確実に充電できる。
【００５８】
また、超音波診断装置１Ａをシャットダウン又はスタンバイで終了する操作入力を受け付ける操作部６０と、操作部６０又は電源ボタン１５により入力された操作に応じて、シャットダウン又はスタンバイで超音波診断装置１Ａの終了処理を行うシステム制御部１１と、を備える。このため、操作部６０又は電源ボタン１５の操作に応じて、所望のシャットダウン又はスタンバイの状態で超音波診断装置１Ａを終了できる。
【００５９】
また、超音波診断装置１Ａは、データを記憶する揮発性のメモリー１２を備える。スタンバイは、電源制御部１３Ａ、電源部１４及びメモリー１２に電源電力が供給され、メモリー１２に記憶されたデータが保持される状態である。このため、スタンバイで終了することで、メモリー１２に記憶されたデータを保持でき、再起動後に、当該データを用いて超音波診断装置１Ａを速やかに復旧できる。
【００６０】
また、通常シャットダウンは、電源制御部１３Ａに電源電力が供給された状態である。このため、通常シャットダウンにおいて、電源ボタン１５の起動操作を待機でき、起動操作された場合に、電源部１４への電力供給ための制御を速やかに行うことができる。
【００６１】
（第２の実施の形態）
図５〜図１１を参照して、本発明に係る第２の実施の形態を説明する。先ず、図５、図６を参照して、本実施の形態の装置構成を説明する。図５は、通常シャットダウンの状態の超音波診断装置１Ｂの機能構成を示すブロック図である。図６は、リレー１９の概略構成を示す図である。
【００６２】
図５に示すように、本実施の形態の超音波診断装置１Ｂは、第１の実施の形態の超音波診断装置１Ａにおいて電源制御部１３Ａを電源制御部１３Ｂに代え、リレー１９を追加した構成を有する。このため、超音波診断装置１Ｂにおいて、超音波診断装置１Ａと同様の構成部分には、同じ符号を付してその説明を省略し、主として異なる部分を説明する。
【００６３】
電源制御部１３Ｂは、バッテリー１７又はＡＣアダプター７０（商用電源）からの電源電力が供給され、電源部１４への電源電力の供給、電源ボタン１５の押下の待機、システム制御部１１又は電源ボタン１５の押下に従った超音波診断装置１Ａの終了（スタンバイ、シャットダウン）、起動、リレー１９のオン／オフ制御の処理などを行う。
【００６４】
リレー１９は、バッテリー１７と電源制御部１３Ｂとの間にスイッチ１８と並列に設けられ、電源制御部１３Ｂからの制御に従って、バッテリー１７と電源制御部１３Ｂとの間の線路の電気的な接続又は開放を切替える部品であり、例えば、シングルスティップル型のリレーとする。電源制御部１３Ｂによりリレー１９の制御端子に電流又は電圧が与えられると、バッテリー１７と電源制御部１３Ｂとの間の線路が電気的に接続されてオン状態となる。電源制御部１３Ｂによりリレー１９の制御端子に電流又は電圧が与えられないと、バッテリー１７と電源制御部１３Ｂとの間の線路が電気的に遮断されてオフ状態となる。
【００６５】
リレー１９は、図６に示すように、操作部１９１と、接点部１９２と、を備える。操作部１９１は、電源制御部１３Ｂからの電流又は電圧があると、接点部１９２をオン状態にし、電源制御部１３Ｂに電気的に接続された接点１９３とバッテリー１７に電気的に接続された接点１９４との間を電気的に接続する。操作部１９１は、電源制御部１３Ｂからの電流又は電圧がないと、接点部１９２をオフ状態にし、接点１９３と接点１９４との間を電気的に遮断する。
【００６６】
リレー１９に使用するリレーは、大きくは、メカニカル型と、半導体型とに分けられる。メカニカル型のリレー１９において、例えば、操作部１９１が、励磁コイル及び磁石となり、接点部１９２が、操作部１９１の磁石の移動に応じてオン／オフされる機械式のスイッチとなる。半導体型のリレー１９において、例えば、操作部１９１が、ＬＥＤ（Light Emitting Diode）などの発光部となり、接点部１９２が、操作部１９１の発光の有無に応じてオン／オフされるＰｈｏｔｏＭＯＳ（Metal-Oxide-Semiconductor）スイッチなどの電気式のスイッチとなる。
【００６７】
次に、図５、図７〜図１１を参照して、超音波診断装置１Ｂの電源に関する動作を説明する。図７は、完全シャットダウンの状態の超音波診断装置１Ｂの機能構成を示すブロック図である。図８は、通常シャットダウンで充電の状態の超音波診断装置１Ｂの機能構成を示すブロック図である。図９は、スタンバイの状態の超音波診断装置１Ｂの機能構成を示すブロック図である。図１０は、稼働の状態の超音波診断装置１Ｂの機能構成を示すブロック図である。図１１は、稼働で充電の状態の超音波診断装置１Ｂの機能構成を示すブロック図である。
【００６８】
図５において、予め、超音波診断装置１Ｂは、稼働中であり、スイッチ１８がオンされている状態とする。また、バッテリー１７は、充電されているものとする。
【００６９】
稼働状態の超音波診断装置１Ｂにおいて、システム制御部１１は、操作部６０を介してユーザーから超音波診断装置１Ｂの終了指示の入力を受け付けると、超音波診断装置１Ｂの終了方法の選択の表示画面情報を表示部５０に表示する。そして、システム制御部１１は、操作部６０を介してユーザーからの、超音波診断装置１Ｂの終了方法としてシャットダウン又はスタンバイの選択入力を受け付ける。
【００７０】
シャットダウンが選択入力された場合又は電源ボタン１５がオフ操作された場合に、システム制御部１１は、図５に示すように、電源制御部１３Ｂに通常シャットダウンの状態で超音波診断装置１Ｂを終了させる。通常シャットダウンの状態の超音波診断装置１Ｂにおいて、バッテリー１７から出力された電源電力は、給電又は稼働を表す太線に示すように、オン状態のスイッチ１８を介して電源制御部１３Ｂに供給される。電源制御部１３Ｂは、太線に示すように、供給された電源電力により、電源ボタン１５からの起動操作を受け付け可能な待機の状態にし、またリレー１９をオフする。このため、通常シャットダウンの状態の超音波診断装置１Ｂの消費電力は、起動時よりも低減されるが、主に電源制御部１３Ｂで電力消費されている。
【００７１】
通常シャットダウンの状態の超音波診断装置１Ｂにおいて、ユーザーによりスイッチ１８がオフ操作された場合に、図７に示すように、超音波診断装置１Ｂは、完全シャットダウンの状態に遷移される。
【００７２】
完全シャットダウンの状態の超音波診断装置１Ｂにおいて、スイッチ１８が電気的に遮断されているため、太線がなく、バッテリー１７から電源制御部１３Ｂへの電源電力の供給がされていない。このため、完全シャットダウンの状態の超音波診断装置１Ｂの消費電力は、通常シャットダウンの状態の超音波診断装置１Ｂの消費電力よりもさらに低減される。ただし、完全シャットダウンの状態では、たとえ電源ボタン１５が押下されても、超音波診断装置１Ｂは起動されない。
【００７３】
また、完全シャットダウンの状態の超音波診断装置１Ｂにおいて、商用電源に接続されたＡＣアダプター７０が、ＤＣ入力コネクター１６に電気的に接続されると、図８に示すように、超音波診断装置１Ｂは、通常シャットダウンで充電の状態に遷移する。ＡＣアダプター７０から出力された電源電力は、太線に示すように、ＤＣ入力コネクター１６を介して電源制御部１３Ｂに供給される。電源制御部１３Ｂは、太線に示すように、供給された電源電力により、電源ボタン１５からの起動操作を受け付け可能な待機の状態にし、またリレー１９をオンする。このため、電源制御部１３Ｂから出力された電源電力がリレー１９を介してバッテリー１７に供給されて充電される。また、通常シャットダウンの状態の超音波診断装置１Ｂにおいて、商用電源に接続されたＡＣアダプター７０がＤＣ入力コネクター１６に電気的に接続されると、同様にして、ＡＣアダプター７０から出力された電源電力が、ＤＣ入力コネクター１６、電源制御部１３Ｂ、オン状態のリレー１９を順に介してバッテリー１７に供給されて充電される。
【００７４】
また、上記のように超音波診断装置１Ｂの稼働中に終了方法の選択の表示画面情報が表示部５０に表示され、スタンバイが選択入力された場合に、システム制御部１１は、図９に示すように、電源制御部１３Ｂをスタンバイの状態にさせる。電源制御部１３Ｂは、バッテリー１７からオン状態のスイッチ１８を介して供給される電源電力により、電源ボタン１５を操作可能な待機の状態にし、電源部１４を介してメモリー１２に電源電力を供給し、メモリー１２に記憶されているデータを保持する。このとき、電源制御部１３Ｂは、リレー１９をオン状態にしてもオフ状態にしてもよいが、省電力のためオフ状態が望ましい。ただし、スタンバイの状態の超音波診断装置１Ｂにおいて、リレー１９がオフ状態であると、スイッチ１８をオフ操作すると、メモリー１２に記憶されているデータが消去される。スタンバイの状態の超音波診断装置１Ｂにおいて、リレー１９がオン状態であると、スイッチ１８をオフ操作しても、メモリー１２に記憶されているデータが消去されない。
【００７５】
完全シャットダウンの状態の超音波診断装置１Ｂにおいて、超音波診断装置１Ｂを起動するには、先にスイッチ１８をオン操作して、通常シャットダウンの状態の超音波診断装置１Ｂに遷移する方法がある。遷移後の通常シャットダウンの状態の超音波診断装置１Ｂにおいて、電源ボタン１５がオン操作されると、図１０に示すように、引き続きバッテリー１７から出力された電源電力が、オン状態のスイッチ１８を介して電源制御部１３Ｂに供給される。電源制御部１３Ｂは、電源部１４に電源電力を供給し、電源部１４により超音波診断装置１Ｂのシステム制御部１１、超音波信号処理部３０、表示部５０、操作部６０などの各部に給電させるとともに、リレー１９をオンする。システム制御部１１は、超音波診断装置１Ｂを起動し稼働状態となる。超音波診断装置１Ｂの稼働状態において、オン状態のリレー１９により、スイッチ１８のオン／オフに関わらず、バッテリー１７から出力された電源電力が、オン状態のリレー１９、電源制御部１３Ｂを介して電源部１４に供給され続ける。
【００７６】
完全シャットダウンの状態の超音波診断装置１Ｂにおいて、超音波診断装置１Ｂを起動する他の方法としては、商用電源に接続されたＡＣアダプター７０をＤＣ入力コネクター１６に電気的に接続する方法もある。完全シャットダウンの状態の超音波診断装置１Ｂにおいて、商用電源に接続されたＡＣアダプター７０がＤＣ入力コネクター１６に電気的に接続されると、図８と同様に、ＡＣアダプター７０から出力された電源電力が、ＤＣ入力コネクター１６、電源制御部１３Ｂ、オン状態のリレー１９を介してバッテリー１７に供給されて充電され、通常シャットダウンで充電の状態の超音波診断装置１Ｂに遷移する。そして、電源ボタン１５がオン操作されると、図１１に示すように、ＡＣアダプター７０から出力された電源電力が、ＤＣ入力コネクター１６を介して電源制御部１３Ｂに供給される。電源制御部１３Ｂは、電源部１４に電源電力を供給し、電源部１４により超音波診断装置１Ｂのシステム制御部１１、超音波信号処理部３０、表示部５０、操作部６０などの各部に給電させるとともに、引き続きリレー１９をオンする。システム制御部１１は、超音波診断装置１Ｂを起動し稼働状態となる。超音波診断装置１Ｂの起動状態において、オン状態のリレー１９により、スイッチ１８のオン／オフに関わらず、ＡＣアダプター７０から出力された電源電力が、ＤＣ入力コネクター１６、電源制御部１３Ｂ、オン状態のリレー１９を介してバッテリー１７に供給され充電され続ける。
【００７７】
以上、本実施の形態によれば、超音波診断装置１Ｂは、バッテリー１７と電源制御部１３Ｂとの間にスイッチ１８と並列に設けられ、電源制御部１３Ｂからのオン又はオフの制御に応じて、バッテリー１７と電源制御部１３Ｂとの間の線路を接続又は遮断するリレー１９を備える。電源制御部１３Ｂは、スイッチ１８がオフでかつＤＣ入力コネクター１６から電源電力が入力された場合に、リレー１９をオンし、入力された電源電力を、リレー１９を介してバッテリー１７に供給する。このため、完全シャットダウンの状態の超音波診断装置１Ｂにおいても、スイッチ１８をオフ状態にしたまま、通常シャットダウンで充電の状態にでき、バッテリー１７を確実に充電できる。
【００７８】
また、電源制御部１３Ｂは、超音波診断装置１Ｂが稼働している場合に、リレー１９をオンする。このため、超音波診断装置１Ｂが稼働中に、スイッチ１８が押下されても、完全シャットダウンの状態に遷移されることを防ぐことができる。
【００７９】
また、電源制御部１３Ｂは、スタンバイで超音波診断装置１Ｂが終了された場合に、リレー１９をオフする。このため、スタンバイの状態の超音波診断装置１Ｂにおいて、消費電力を低減できる。
【００８０】
（第３の実施の形態）
図１２、図１３を参照して、本発明に係る第３の実施の形態を説明する。先ず、図１２、図１３を参照して、本実施の形態の装置構成を説明する。図１２は、スタンバイの状態の超音波診断装置１Ｃの機能構成を示すブロック図である。図１３は、スイッチ１８Ｃの概略構成を示す図である。
【００８１】
図１２に示すように、本実施の形態の超音波診断装置１Ｃは、第２の実施の形態の超音波診断装置１Ｂにおいてスイッチ１８をスイッチ及び通知部としてのスイッチ１８Ｃに代え、線路２０を追加した構成を有する。このため、超音波診断装置１Ｃにおいて、超音波診断装置１Ｂと同様の構成部分には、同じ符号を付してその説明を省略し、主として異なる部分を説明する。
【００８２】
スイッチ１８Ｃは、筐体２の表面に設けられ、ユーザーのオン／オフの操作によりバッテリー１７と電源制御部１３Ｂとの間の線路を電気的に接続又は遮断し、オン／オフの状態の信号を電源制御部１３Ｂに出力するスイッチである。線路２０は、スイッチ１８Ｃと電源制御部１３Ｂとの間に設けられた電気的な線路である。
【００８３】
スイッチ１８Ｃは、例えば図１３に示す４端子のプッシュロックスイッチであるものとする。図１３に示すスイッチ１８Ｃは、操作部１８１Ｃを備える。操作部１８１Ｃは、ユーザーにより押下されると、電源制御部１３Ｂに電気的に接続された接点１８２Ｃと、バッテリー１７に電気的に接続された接点１８３Ｃと、の間を電気的に接続し、これに連動して、プルアップ抵抗Ｒ１を介して電源電圧部Ｖに接続された接点１８４Ｃと、接地部Ｇに接続された接点１８５Ｃと、の間を電気的に接続し、接続されたままロックされオン状態となる。オン状態のスイッチ１８Ｃにおいて、接地部Ｇからのローレベルの電圧信号が、接点１８５Ｃ、操作部１８１Ｃ、接点１８４Ｃを介して、線路２０（電源制御部１３Ｂ）に出力される。ローレベルの電圧信号は、スイッチ１８Ｃがオンされていることを示す信号である。
【００８４】
オン状態の操作部１８１Ｃは、ユーザーにより再度押下されると、接点１８２Ｃと接点１８３Ｃとの間を電気的に遮断し、これに連動して、接点１８４Ｃと接点１８５Ｃとの間を電気的に遮断し、オフ状態となる。オフ状態のスイッチ１８Ｃにおいて、電源電圧部Ｖからプルアップ抵抗Ｒ１を介するハイレベルの電圧信号が、線路２０（電源制御部１３Ｂ）に出力される。ハイレベルの電圧信号は、スイッチ１８Ｃがオフされていることを示す信号である。ただし、スイッチ１８Ｃは、プッシュロックスイッチに限定されるものではなく、シーソースイッチ、トグルスイッチなど、他の２組の２接点間の電気的な接続及び遮断を行うスイッチとしてもよい。
【００８５】
次に、図１２を参照して、超音波診断装置１Ｃの電源に関する動作を説明する。
【００８６】
超音波診断装置１Ｃでは、ユーザーから操作部６０を介する超音波診断装置１Ｃの終了方法の選択入力を行わない。スイッチ１８Ｃのオン／オフ状態に応じて、超音波診断装置１Ｃの終了方法が自動的に決まる。
【００８７】
予め、超音波診断装置１Ｃは、稼働中であり、スイッチ１８がオンされている状態とする。また、バッテリー１７は、十分に充電されているものとする。
【００８８】
稼働状態の超音波診断装置１Ｃにおいて、ユーザーから操作部６０を介して終了操作が入力された場合又は電源ボタン１５がオフ操作された場合、システム制御部１１は、スイッチ１８Ｃから線路２０を介して入力される信号に応じて、超音波診断装置１Ｃを完全シャットダウン又はスタンバイの状態で終了する。
【００８９】
例えば、図１０の超音波診断装置１Ｂと同様の稼働状態の超音波診断装置１Ｃにおいて、ユーザーによりスイッチ１８Ｃがオフ操作されたものとする。このとき、リレー１９がオンされているため、引き続きバッテリー１７から出力された電源電力がリレー１９、電源制御部１３Ｂを介して電源部１４に供給され、引き続き稼働状態の超音波診断装置１Ｃとなる。スイッチ１８Ｃから線路２０を介して電源制御部１３Ｂに入力される信号は、スイッチ１８Ｃのオフを示す信号となる。この稼働状態の超音波診断装置１Ｃにおいて、ユーザーにより操作部６０を介して終了操作が入力された場合又は電源ボタン１５がオフ操作された場合に、システム制御部１１は、入力されたスイッチ１８Ｃのオフを示す信号に応じて、電源制御部１３Ｂにリレー１９をオフさせ、超音波診断装置１Ｃを完全シャットダウンの状態で終了する。スイッチ１８Ｃ及びリレー１９がオフ状態であるので、バッテリー１７から電源電力が供給されない。
【００９０】
また、例えば、図１０の超音波診断装置１Ｂと同様の稼働状態の超音波診断装置１Ｃにおいて、スイッチ１８Ｃがオン状態であるものとする。このとき、リレー１９がオンされているため、引き続きバッテリー１７から出力された電源電力がリレー１９、電源制御部１３Ｂを介して電源部１４に供給され、引き続き稼働状態の超音波診断装置１Ｃとなる。スイッチ１８Ｃから線路２０を介して電源制御部１３Ｂに入力される信号は、スイッチ１８Ｃのオンを示す信号となる。この稼働状態の超音波診断装置１Ｃにおいて、ユーザーにより操作部６０を介して終了操作が入力された場合又は電源ボタン１５がオフ操作された場合に、図１２に示すように、システム制御部１１は、入力されたスイッチ１８Ｃのオフを示す信号に応じて、電源制御部１３Ｂにリレー１９をオフ又はオンさせ、超音波診断装置１Ｃをスタンバイの状態で終了する。バッテリー１７から出力された電源電力は、オン状態のスイッチ１８Ｃを介して電源制御部１３Ｂに供給され、電源部１４を介してメモリー１２に供給される。このとき、電源制御部１３Ｂは、リレー１９をオンさせる構成としてもよいが、省電力のため、リレー１９をオフさせる構成が望ましい。
【００９１】
また、スタンバイの状態の超音波診断装置１Ｃにおいて、図８に示すスタンバイで充電の状態の超音波診断装置１Ｂと同様にして、商用電源に接続されたＡＣアダプター７０をＤＣ入力コネクター１６に電気的に接続して、スタンバイで充電の状態の超音波診断装置１Ｃとしてもよい。
【００９２】
以上、本実施の形態によれば、超音波診断装置１Ｃは、超音波診断装置１Ｃの終了の操作入力を受け付ける操作部６０と、操作部６０又は電源ボタン１５により入力された操作に応じて、超音波診断装置１Ｃの終了処理を行うシステム制御部１１と、を備える。スイッチ１８Ｃは、オンの状態の場合に、当該オンの状態をシステム制御部１１に通知する。システム制御部１１は、スイッチ１８Ｃのオンの状態の通知がある場合の操作部６０又は電源ボタン１５により入力された終了の操作に応じて、スタンバイで超音波診断装置１Ｃの終了処理を行う。このため、ユーザーが終了方法としてスタンバイを選択入力しなくても、スイッチ１８Ｃのオン状態に応じて自動的にスタンバイで終了でき、ユーザーの負担を低減できる。
【００９３】
また、スイッチ１８Ｃは、オフの状態の場合に、当該オフの状態をシステム制御部１１に通知する。システム制御部１１は、スイッチ１８Ｃのオフの状態の通知がある場合の操作部６０又は電源ボタン１５により入力された終了の操作に応じて、シャットダウンで超音波診断装置１Ｃの終了処理を行う。このため、ユーザーが終了方法としてシャットダウンを選択入力しなくても、スイッチ１８Ｃのオフ状態に応じて自動的に完全シャットダウンで終了でき、ユーザーの負担を低減できる。
【００９４】
なお、上記実施の形態における記述は、本発明に係る好適な超音波診断装置の一例であり、これに限定されるものではない。
【００９５】
例えば、上記実施の形態では、スイッチ１８，１８Ｃ、リレー１９を、バッテリー１７を有する超音波診断装置に適用する構成を説明したが、これに限定されるものではない。例えば、スイッチ１８，１８Ｃ、リレー１９などの上記実施の形態の構成を、放射線画像の生成、表示などの処理を行う画像診断装置、心電図画像の生成、表示などの処理を行う画像診断装置など、バッテリーを有し医用画像の処理を行う他の医用画像診断装置に適用する構成としてもよい。
【００９６】
また、以上の実施の形態における超音波診断装置１Ａ，１Ｂ，１Ｃを構成する各部の細部構成及び細部動作に関して本発明の趣旨を逸脱することのない範囲で適宜変更可能である。
【符号の説明】
【００９７】
１Ａ，１Ｂ，１Ｃ，１Ｄ  超音波診断装置
２，２Ｄ  筐体
１１  システム制御部
１２  メモリー
１３Ａ，１３Ｂ  電源制御部
１４  電源部
１５  電源ボタン
１６  ＤＣ入力コネクター
１７  バッテリー
１８，１８Ｃ  スイッチ
１８１，１８１Ｃ  操作部
１８２，１８３，１８２Ｃ，１８３Ｃ，１８４Ｃ，１８５Ｃ  接点
１９  リレー
１９１  操作部
１９２  接点部
１９３，１９４  接点
２０  線路
３０  超音波信号処理部
３１  送受信部
３２  ビームフォーミング部
３３  信号処理部
３４  表示処理部
４０  超音波探触子
５０  表示部
６０  操作部
７０  ＡＣアダプター
【図１】
2018187127.tif 000003
【図２】
2018187127.tif 000004
【図３】
2018187127.tif 000005
【図４】
2018187127.tif 000006
【図５】
2018187127.tif 000007
【図６】
2018187127.tif 000008
【図７】
2018187127.tif 000009
【図８】
2018187127.tif 000010
【図９】
2018187127.tif 000011
【図１０】
2018187127.tif 000012
【図１１】
2018187127.tif 000013
【図１２】
2018187127.tif 000014
【図１３】
2018187127.tif 000015
【図１４】
2018187127.tif 000016